(57)【要約】【課題】  建造物等の保護対象物に簡単に取り付けて、現場若しくは離れた場所で不審者の徘徊や侵入等異常状態をモニターすることが可能で安価な防犯システムの提供。【解決手段】  ケース１１に熱源又は物体の動きを検知する検知センサー１２と表示ランプ１３と点滅報知ランプ１４と音声警報機１５と報知発音体１６とが収納されていると共に、建造物等の保護対象物５の周辺近傍に少なくとも１個以上配設される防犯センサー１と、電源スイッチ２１と検知センサー１２の動作状態設定回路２２と表示ランプ１３の点灯回路２３と点滅報知ランプ１４の点灯状態設定回路２４と音声警報機１５の音声信号発生回路２５と報知発音体１６の動作状態設定回路２６とを具備する制御部２とからなり、また、遠隔操作部３からの電波を送受する送受信回路部２７と検知センサーの動作記録計数回路２８とセンサー動作記録表示部１８とを具備している。【選択図】        図２
2005128621.tif 000002
【特許請求の範囲】
【請求項１】
ケース(11)に、熱源又は物体の動きを検知する検知センサー(12)と、作動表示ランプ(13)と、点滅報知ランプ(14)と、音声警報機(15)と、報知発音体(16)とが収納されている防犯センサー。
【請求項２】
ケース(11)に熱源又は物体の動きを検知する検知センサー(12)と作動表示ランプ(13)と点滅報知ランプ(14)と音声警報機(15)と報知発音体(16)とが収納されていると共に、建造物等の安全保護されるべき対象物(5)の内外周辺近傍に少なくとも１個以上配設される防犯センサー(1)と、電源スイッチ(21)と検知センサー(12)の動作状態設定回路(22)と表示ランプ(13)の点灯回路(23)と点滅報知ランプ(14)の点灯状態設定回路(24)と音声警報機(15)の音声信号発生回路(25)と報知発音体(16)の動作状態設定回路(26)とを具備する制御部(2)とからなる防犯システム。
【請求項３】
ケース(11)に熱源又は物体の動きを検知する検知センサー(12)と作動表示ランプ(13)と点滅報知ランプ(14)と音声警報機(15)と報知発音体(16)とが収納されていると共に、建造物等の安全保護されるべき対象物(5)の周辺近傍に少なくとも１個以上配設される防犯センサー(1)と、電源スイッチ(21)と検知センサー(12)の動作状態設定回路(22)と表示ランプ(13)の点灯回路(23)と点滅報知ランプ(14)の点灯状態設定回路(24)と音声警報機(15)の音声信号発生回路(25)と報知発音体(16)の動作状態設定回路(26)と検知センサー(12)の動作を時間的に計数記録し表示するセンサー動作記録表示部(18)と該センサー動作記録表示部(18)を動作させる動作計数記録回路(28)とを具備する制御部(2)とからなる防犯システム。
【請求項４】
ケース(11)に熱源又は物体の動きを検知する検知センサー(12)と作動表示ランプ(13)と点滅報知ランプ(14)と音声警報機(15)と報知発音体(16)とが収納されていると共に、建造物等安全保護されるべき対象物(5)の周辺近傍に少なくとも１個以上配設される防犯センサー(1)と、遠隔操作部(3)と、電源スイッチ(21)と検知センサー(12)の動作状態設定回路(22)と表示ランプ(13)の点灯回路(23)と点滅報知ランプ(14)の点灯状態設定回路(24)と音声警報機(15)の音声信号発生回路(25)と報知発音体(16)の動作状態設定回路(26)と隔操作部(3)からの電波を受ける送受信回路部(27)とを具備する制御部(2)とからなる防犯システム。
【発明の詳細な説明】
【技術分野】
【０００１】
本発明は、建造物の外周近傍並びに建造物に設けられている出入り口、窓、等を始め、建造物内部の金庫やロッカー等安全保護されるべき対象物も含めて防犯状態を監視し、例えば、不審者徘徊、盗難等で異常状態となった場合に、その異常状態を認知して警報を発し、且つ、報知する自己防犯機能を有する防犯システムに関する。
【背景技術】
【０００２】
従来、建造物内部の防犯を管理する防犯システムは、通常は、例えばオフィス、ビル、博物館や役所等の公共の建造物の開口部に防犯センサーを設置し、この防犯センサーを有線又は無線で一括して監視する管理機構に接続しておいて、所定の料金を支払って管理を委託するシステムとなっている。
【特許文献１】特開２００２−７４５３１公報
【特許文献２】特開２００２−１３３５３９公報
【特許文献３】特開２００３−１８７３４３公報
【発明の開示】
【発明が解決しようとする課題】
【０００３】
しかるにこの様な従来の管理手段では、装置全体が大掛かりとなるため設備費が高価であって且つ管理経費が必要となるので、その設置も法人やそれに類する組織等が所有する建造物に限られているのが現実であり、又、管理するにも専門の業者に依存しなければならないので、防犯システムに対する要求がありながら、一般家庭では設置及び普及は困難であるという解決すべき課題を有していた。
【０００４】
そこで、本発明は、上記従来の防犯システムの有する課題を解消し、一般の広範囲の建造物用として手軽に且つ安価に実施し得ると共に、該建造物に接近する不審者に警告を発して事前に退去せしめ且つ不審者の進入等異常状態に際して、検知手段と告知手段とを有する防犯システムを提供することを目的とする。
【課題を解決するための手段】
【０００５】
上記目的を達成するための第１発明である防犯センサーは、請求項１に記載のように、実施例を示す図面中の符号を参照にしながら以下に説明すると、ケース１１に、熱源又は物体の動きを検知する検知センサー１２と、作動表示ランプ１３と、点滅報知ランプ１４と、音声警報機１５と、報知発音体１６とが収納された構成となっている。
【０００６】
第２発明である防犯システムは、請求項２に記載のように、ケース１１に熱源又は物体の動きを検知する検知センサー１２と作動表示ランプ１３と点滅報知ランプ１４と音声警報機１５と報知発音体１６とが収納されていると共に、建造物等の安全保護されるべき保護対象物５の周辺近傍に少なくとも１個以上配設される防犯センサー１と、電源スイッチ２１と検知センサー１２の動作状態設定回路２２と作動表示ランプ１３の点灯回路２３と点滅報知ランプ１４の点灯状態設定回路２４と音声警報機１５の音声信号発生回路２５と報知発音体１６の動作状態設定回路２６とを具備する制御部２とからなる構成となっている。
【０００７】
第３発明である防犯システムは、請求項３に記載のように、ケース１１に熱源又は物体の動きを検知する検知センサー１２と作動表示ランプ１３と点滅報知ランプ１４と音声警報機１５と報知発音体１６とが収納されていると共に、建造物等の安全保護されるべき保護対象物５の周辺近傍に少なくとも１個以上配設される防犯センサー１と、電源スイッチ２１と検知センサー１２の動作状態設定回路２２と作動表示ランプ１３の点灯回路２３と点滅報知ランプ１４の点灯状態設定回路２４と音声警報機１５の音声信号発生回路２５と報知発音体１６の動作状態設定回路２６と検知センサー１２の動作を時間的に計数記録し表示するセンサー動作記録表示部１８と、該センサー動作記録表示部１８を動作させる動作計数記録回路２８とを具備する制御部２とからなる構成となっている。
【０００８】
第４発明である防犯システムは、請求項４に記載のように、ケース１１に熱源又は物体の動きを検知する検知センサー１２と作動表示ランプ１３と点滅報知ランプ１４と音声警報機１５と報知発音体１６とが収納されていると共に、建造物等の安全保護されるべき保護対象物５の周辺近傍に少なくとも１個以上配設される防犯センサー１と、電源スイッチ２１と検知センサー１２の動作状態設定回路２２と作動表示ランプ１３の点灯回路２３と点滅報知ランプ１４の点灯状態設定回路２４と音声警報機１５の音声信号発生回路２５と報知発音体１６の動作状態設定回路２６と遠隔操作部３を併用する事で無線による遠隔操作を可能とする送受信回路部２７とが具備されている制御部２とからなる構成となっている。
【発明の効果】
【０００９】
以上の説明から既に明らかなように、本発明の防犯システムは、熱源又は物体の動きを検知する検知センサー、表示ランプ、点滅報知ランプ、音声警報機、報知発音体とがケースに一体となるように収納されユニット化されており、しかも、このユニット内に組み込まれた検知センサーが人体等赤外線を放射する熱源や物体の動きを検知する機能を有するので、その設置は非常に簡単且つ容易であって、設置経費が少なくて済む利点がある。従って、一般の家庭においても手軽に設置することが出来る。又、検知センサーが建家等保護対象物の外部にあって、不審な人物や物体を検知し、音声によって警告を発し且つ点滅するランプによる照明や警報音によって広範囲に警報を発するので、犯罪を未然に防止する効果を有する。更に、防犯センサーを屋内の重要な部位に設置することで防犯態勢は完璧となり、その上に遠隔操作部を併用することによって、離れた場所からでも防犯状態の確認が可能であるから、防犯システムとして広範囲な用途に適用し得るという効果をも期待することができるに至ったのである。
【発明を実施するための最良の形態】
【００１０】
本発明の防犯システムが設置される対象物は、ビル、倉庫、更に一般住宅等も含む各種建造物であって、該建造物に設けられている出入り口、窓、その他開口部等を始め、建造物内部の金庫やロッカー等も包含する（以下一括して保護対象物５と呼称する）。
【００１１】
本発明の実施態様を、各々の実施例を表現する図面を適宜参照しながら説明すると、請求項１に該当する第１実施例は本防犯システムに於いて使用される防犯センサー１であって、図１に示すように、ケース１１に熱源又は物体の動きを検知する検知センサー１２と、インジケーターランプと呼称されている作動表示ランプ１３と、点滅報知ランプ１４と、音声警報機１５と報知発音体１６とが収納されてユニット化された構造となっている。
【００１２】
検知センサー１２は一般に使用されている赤外線センサーで、接近した人体からの赤外線を検出し、人体の移動に伴って生じる受光量の変動を感知して後述する検知部２に有線又は無線で送信する。検知センサー１２としては、この他にも超音波を放射し反射波を受信する方式であってもよく、作動表示ランプ１３は防犯システムが動作中であることを示すパイロットランプであって、例えば赤色の発光ダイオード等を使用することが出来る。点滅報知ランプ１４は例えば白色クリプトン電球、ハロゲンランプ等の使用が適当であるが、勿論通常の電球を使用しても良いことは言うまでもない。この点滅報知ランプ１４は検知センサー１２から不審物体の存在を示す出力信号があった時に、点滅して異常状態であることを告知し、又、スイッチを切り替えることによってこの点滅報知ランプ１４を連続点燈し住宅外周の照明ランプとしても利用することができる。そして異常状態時に自動的に点滅動作に切り替わるようにすることも可能である。音声警報機１５は音声による警報を発するもので超小形スピーカ等の使用が適当である。又、報知発音体１６は防犯システムが異常状態であることを点滅報知ランプ１４の点滅と平行して報知するもので、通常のブザー等を使用すればよいが、これらの音声警報機１５や報知発音体１６は、一般に盗難防止器用として使用されているものを利用してもよい。或いは音声警報機１５と兼用とし、音声による警告とブザー音とを交互に吹鳴させることも出来る。
【００１３】
更に、ケー１１内には、カメラを組み込んだものとして、警告状況下におかれた際に、検知センサー１２と連動して撮影可能としたり、報知ランプ１４の作動や警報機１５，発音体１６の作動と連動してシャッター作動するようにして使用することができる。このようにした場合には、防犯センサーの作動原因を容易に確認することができる利点がある。
【００１４】
上記した防犯センサー１は、建造物等安全保護されるべき保護対象物５の外面、周辺近傍に少なくとも１個以上配設される。具体的には保護対象物５が建家の場合には、出入り口付近の軒先、周囲壁の屋根のひさしの下面等に配分して複数個取り付けられる。又、屋内においては玄関口、貴重品保管部所の近傍天井等に取り付けることにより、防犯態勢を一層充実させることが出来る。防犯センサー１の設置状態を図４，５，６に模式的に示す。
【００１５】
制御部２は、請求項２に該当する第２実施例では、電源スイッチ２１と検知センサー１２の動作状態設定回路２２と、作動表示ランプ１３の点灯回路２３と、点滅報知ランプ１４の点灯状態設定回路２４と、音声警報機１５の音声信号発生回路２５と、報知発音体１６の動作状態設定回路２６とを具備している。又、請求項３に該当する第３実施例では、第２実施例の諸機能に加えて、防犯システム作動中の検知センサー１２の動作状態が時間的に記録、表示される機能が追加され、これに対応させてセンサー動作記録表示部１８と該センサー動作記録表示部１８を動作させる動作計数記録回路２８とを具備している。又、請求項４に該当する第４実施例では、第２実施例の諸機能に加えて、制御部２を遠隔操作する機能が追加され、これに対応させて前記第２実施例の諸回路に遠隔操作部３からの電波を受ける送受信回路部２７が、図３で示すように仮想線で追加されている。制御部２を構成する諸回路は、複数個の防犯センサー１に共通とし得る回路を除いて、夫々の防犯センサー１に対して個別に一纏めに組み合わされて回路ブロックＢとされ、電源ｐｗから電源電圧が印加されたときに、防犯センサー１と共に作動して所定どおりに機能する。
【００１６】
電源スイッチ２１には必要に応じてタイマー機能が付加される。このタイマー機能は、防犯要員が防犯システムをセットして最終的に建家から退去するとき、退去する要員に起因する早まった誤動作を防ぐために、スイッチ２１投入後に該防犯要員が建家を出て防犯システムの動作領域外に出外れるまでの時間、防犯システムが稼働状態となることを保留する機能である。この保留時間は５〜１０分が適当であるが各実施例の制御部２では任意に調節することが可能である。
【００１７】
切替スイッチＳ２は、電源スイッチ２１に次いで基幹的なスイッチであって、複数個ある防犯センサー１とそれに対応して設けられた制御部２の前記回路ブロックＢに選択的に電源電圧を配分すると共に、回路ブロックＢに含まれない共通した回路に対しても、必要に応じて入出力等その回路が有する機能を各防犯センサーに配分する機能を有して、作動すべき防犯センサー１を選定する機能を有する。
【００１８】
検知センサー１２の動作状態設定回路２２は、検知センサー１２の種類、構造に依存するが、基本的には熱源又は物体の動きによって検知センサー１２の電気的特性が変化し、その特性変化を電気的に検出すればよい。たとえば人体から放出される赤外線を検出する場合は、原理的に述べると赤外線センサーに抵抗を通じて定常電流を印加しておき、センサーが赤外線を受波したとき特性の変化につれて電流が変動する状態をチェックして、検知センサー１２の出力信号とすればよい。この動作状態設定回路２２は複数個設置された防犯センサー１とそれに対応して設けられた制御部２の前記回路ブロックＢ毎に設けられ、各々対応する防犯センサー１に接続される。
【００１９】
表示ランプ１３の点灯回路２３は、切替スイッチＳ２によって接続された電源回路ｐｗそのままである。点滅報知ランプ１４の点灯状態設定回路２４は、電源回路とは検知センサー１２の出力信号によって動作を開始するチョッパー回路が挿入されている。このチョッパー回路は電子スイッチであって、検知センサー１２の出力信号が無い場合は導通状態となり点滅報知ランプ１４は屋外照明として機能するが、検知センサー１２の出力信号が印加されると断続動作を行って点滅報知ランプ１４を点滅する。音声警報機１５の音声信号発生回路２５は音声信号発生器であって、検知センサー１２の出力信号によって動作を開始するチョッパー回路が挿入されていて所定時間警報音声を発し、更に一定時間後に再発声する。報知発音体１６の動作状態設定回路２６は、ブザー用の単なる交流電源回路であって、検知センサー１２の出力信号によって動作を開始するチョッパー回路が挿入されていて所定時間警報音を発し、更に一定時間後に再発音する。これらの各チョッパー回路に於いては、夫々の検知センサー１２の出力信号が印加された時点から動作開始する時迄の時間は、夫々独立に調節可能となっている。又、上記した点滅報知ランプ１４の点灯状態設定回路２４、音声警報機１５の音声信号発生回路２５及び報知発音体１６の動作状態設定回路２６は、夫々出力調節機能を有し、点滅報知ランプ１４の明るさ、音声警報機１５の音量及び報知発音体１６の音量を夫々調節することが可能である。
【００２０】
又、第３発明に該当する第３実施例は、センサーの動作計数記録回路２８とセンサー動作記録表示部１８を具備し、動作の基準として制御部２にデジタル時計回路を内蔵しており、検知センサー１２からの出力信号が動作計数記録回路２８に入力されることによって、本防犯システムが動作開始設定されてから所望する時間内の、検知センサー１２の動作開始時刻、終了時刻並びに動作時間を記録し且つセンサー動作記録表示部１８によつて横方向棒グラフの形で液晶表示する。動作計数記録回路２８は、各防犯センサー１毎に設けられて夫々の防犯センサーの動作状態を記録しているが、センサー動作記録表示部１８には全ての防犯センサーからの動作情報信号を同時に入力し、重畳した状態で表示される。尚、このデジタル時計回路のクロックパルスは、すでに記載した点滅報知ランプ１４、音声警報機１５、報知発音体１６など夫々の動作状態を、言い換えれば警報モードを設定する合計３個のチョッパー回路を夫々設定通りに動作させるための時間的基準としても利用される。
【００２１】
屋外に設置された防犯センサー１と制御部２とは、防犯センサー１のコネクタＣ１と制御部２のコネクタＣ２を介してケーブルＷで接続される。又、第４発明に該当する第４実施例では、コネクタＣ２の部位に送受信回路部２７を設け、制御部２の電源スイッチ２１と切替スイッチＳ２との操作を、遠隔操作部３から無線によって遠隔操作すると共に、同じく無線によって複数個ある防犯センサー１への入力即ち検知センサー１２、作動表示ランプ１３、点滅報知ランプ１４の夫々への各入力信号を認識する機能を有する。また、必要に応じて音声警報機１５並びに報知発音体１６をも認知することも可能である。遠隔操作部３を子機として利用する事で、離れたところから防犯センサー１を管理し且つ動作状態をモニターする事が可能である。
【００２２】
不審者が出現したときの異常状態に於ける警報モードは種々考えることが出来るが、この第１実施例では図９に示すように点滅報知ランプ１４が３０秒間点滅し、次に３０秒間音声で警報を発し、続いて６０秒間ブザーを発音させる。このサイクルを３回続けて繰り返し、少し間隔をおいて再度同一内容のサイクルを繰り返すレイアウトの警報モードを採用している。或いは点滅報知ランプ１４の点滅と平行して、音声警報とブザー吹鳴とを交互に繰返す方式でも良い。又、これまでに説明した各種の実施例では、この警報モードを半固定式で任意に設定し得るように配慮されている。
【実施例】
【００２３】
以下本発明の実施例を図面に基づいて説明する。図１は第１実施例の防犯センサー１の外観を示す斜視図、図２は同実施例の制御部２のパネル面を示す外観参考説明図、図３は同制御部２の構成を示す機能説明用の回路ブロック図である。
【００２４】
本発明の第２〜第４実施例で使用した防犯センサー１の外観構造を図１に示す。ケース１１の基盤１１ａに検知センサー１２、作動表示ランプ１３、点滅報知ランプ１４、音声警報機１５及び報知発音体１６が取り付けられ、表面を蓋体１１ｂで覆ってユニット化した構造となっている。この防犯センサー１は、基盤１１ａの部分を保護対象物５の壁面又は他の適当な支持物に螺子止め等により固定される。第１実施例に於ける検知センサー１２は赤外線検知半導体素子を使用している。又、作動表示ランプ１３は発光ダイオード素子、点滅報知ランプ１４はクリプトン電球、音声警報機１５は盗難予防器等に使用されるような耐候性に優れた小形スピーカ、報知発音体１６はブザーである。該防犯センサー１は、本実施例としては一応保護対象物５の周囲壁面に合計８個取り付けられているが、実際の稼働数は切替スイッチＳ２により状況に応じて適当に設定することが出来る。
【００２５】
図２に第３実施例の制御部２のパネル面構造を示す。パネル面には電源スイッチ２１等の操作部分と防犯センサー１に含まれる検知センサー１２をはじめとする各種の報知手段の動作状態を示す表示部分とがパイロットランプ並びに液晶表示板としての形態で配置されている。図２において各操作部分（レバーや押しボタン等）、表示部分に付された符号は夫々の防犯センサー１の各種部品の符号と同一としてある。表示部分に対応する制御部２を構成する各機能を有する本体部分は、電源スイッチ２１と検知センサー１２の動作状態設定回路２２、作動表示ランプ１３の点灯回路２３、点滅報知ランプ１４の点灯状態設定回路２４と音声警報機１５の音声信号発生回路２５、報知発音体１６の動作状態設定回路２６、検知センサー１２の動作状態の時間的記録を表示するセンサー動作記録表示部１８とセンサー動作計数記録回路２８と、その他に電源スイッチ２１と電源ｐｗである。尚、第２実施例ではセンサー動作記録表示部１８が省略される。
【００２６】
これらの本体部について、その機能、動作は発明の実施態様の欄で全て説明されているが、整理して再録すると、図３において、電源スイッチ２１はタイマー機能が付加されており、必要に応じて５〜１０分の範囲に設定可能である。尚、制御部２の機能、構造を示す図３には、図２に於ける制御部２のパネル面に記載されている前述の各報知手段の動作を示すパイロットランプは図面が煩雑となるので省略されている。
【００２７】
検知センサー１２の動作状態設定回路２２は検知センサー１２が赤外線センサーであるから、人体等の熱源の存在及びその動きによって検知センサー１２の電気的特性が変化し、電流が変動する状態をチェックして検知センサー１２の出力信号とする方式を採用している。作動表示ランプ１３は安価な発光ダイオードで、その点灯回路２３は電源回路ｐｗに接続される。点滅報知ランプ１４の点灯状態設定回路２４は検知センサー１２の出力信号によって動作を開始するチョッパー回路が内臓された構造となっている。このチョッパー回路は電子スイッチであって、検知センサー１２の出力信号が無い場合は導通状態となって点滅報知ランプ１４は屋外照明として機能するが、検知センサー１２の出力信号が印加されると断続動作を行って点滅報知ランプ１４を点滅する。音声警報機１５の音声信号発生回路２５は音声合成回路からなり、切替スイッチＳ２との間に検知センサー１２の出力信号によって動作を開始するチョッパー回路が内臓された構造となっており、所定時間警報音声信号を発し、更に一定時間後に信号を再発生する。報知発音体１６の動作状態設定回路２６はブザー用の単なる交流電源回路である。これらの各チョッパー回路は検知センサー１２の出力信号が印加された時点からの動作開始時期は夫々独立に調節可能であり、又、上記した点灯状態設定回路２４、音声警報機１５の音声信号発生回路２５及び動作状態設定回路２６は夫々出力調節機能を有し、点滅報知ランプ１４の明るさ、音声警報機１５の音量及び報知発音体１６の音量を夫々調節することが可能である。センサーの動作計数記録回路２８は常時デジタル電気時計として動作しており、防犯システムが稼働中には複数個の検知センサー１２の出力信号が並列入力されたときに、検知センサー１２の動作開始時刻、動作終了時刻及び動作時間を内蔵する記憶装置に保存し且つセンサー動作記録表示部１８に表示する。尚、この表示はリセットスイッチにより初期状態に復帰させることが出来る。
【００２８】
制御部２は、庇下面のような屋外に設置された防犯センサー１とコネクタＣ２を介してケーブルＷで接続される。尚、又、この第１実施例には遠隔操作部３を使用して遠隔操作することを想定して、前記諸回路に加えて後述する第２実施例の遠隔操作部３からの電波を受ける送受信回路部２７が追加されて、コネクタＣ２と併用する構造となっている。
【００２９】
図７に第４実施例の遠隔操作部３の構造、図８にその外観を示す。この第４実施例は別途遠隔操作部３を子機として利用する事で、制御部２の電源スイッチ２１と切替スイッチＳ２との操作を無線によって遠隔操作すると共に、同じく無線によって複数個ある防犯センサー１の動作状態を認知しようとするシステムである。この第２実施例の遠隔操作部３は制御部２と同じく電源スイッチ２１と切替スイッチＳ２とを操作し且つ防犯センサー１の動作状態を認知するために制御部２と同じ機能を有するように構成され、前記送受信回路部２７と連絡する動作計数記録回路２８を具備している。ただし、防犯センサー１に設置されている各種センサー、照明、発音体等を直接駆動するわけではないので、電源は小出力となっている。
【００３０】
第４実施例の遠隔操作部３は先述した第１実施例と同じ機能を保有させるために複雑な構成となっており、大型で高価なものとなる。図７，８に示す変形例の遠隔操作部３は、機能を制限して費用を節減した構造とし、動作を単に電源スイッチ２１及び切替スイッチＳ２並びに防犯センサー１の諸動作設定回路の操作に限定する事で小形に且つ安価に製造することが可能である。電源回路ｐｗは、点滅報知ランプ１４や音声警報機１５、報知発音体１６を直接駆動するわけではないので小容量のものでよい。尚、遠隔操作部３の電源スイッチ２１のタイマー機能は必要がないので動作しないように設定されている。
【００３１】
以上本発明の代表的と思われる実施例について説明したが、本発明は必ずしもこれらの実施例構造のみに限定されるものではなく、本発明にいう前記の構成要件を備え、かつ本発明の目的を達成し、下記の効果を有する範囲内において適宜改変して実施することができる。
【産業上の利用可能性】
【００３２】
センサー並びに報知、警報手段がユニット化され、建物等保護対象物の外部周辺部に設置されることによって、建造物等の周辺を彷徨く不審者に警報を発して異常事態を事前回避せしめる機能をはじめ、屋内に設置して不審者の進入を監視し、更に報知する機能も有しているセンサーでありながら、設置費用が少なくてすむので極めて広範囲な防犯に適用できる。  
【図面の簡単な説明】
【００３３】
【図１】本発明の防犯システムの第１実施例の防犯センサーの構造を示す斜視図。
【図２】第３実施例の制御部の正面パネルの外観を示す説明図。
【図３】同、制御部の機能及び構造を示すブロック図。
【図４】同、本発明の防犯システムの設置状態を説明する説明用側面図
【図５】同、防犯センサーの設置状態を示す説明用平面図。
【図６】同、防犯センサーの他の設置状態を示す説明図。
【図７】第４実施例の遠隔操作部の機能及び構造を示すブロック図。
【図８】同、遠隔操作部の外観を示す説明用斜視図。
【図９】本発明の防犯システムの警報モードの一例の説明図。
【符号の説明】
【００３４】
１  防犯センサー
１１  ケース
１２  検知センサー
１３  作動表示ランプ
１４  点滅報知ランプ
１５  音声警報機
１６  報知発音体
１８  センサー動作記録表示部
２  制御部
２１  電源スイッチ
２２  検知センサーの動作状態設定回路
２３  作動表示ランプの点灯回路
２４  点灯状態設定回路
２５  音声信号発生回路
２６  報知発音体の動作状態設定回路
２７  送受信回路部
２８  検知センサーの動作計数記録回路
３  遠隔操作部
５  保護対象物
５１  建家の庇
５２  出入り口
【図１】
2005128621.tif 000003
【図２】
2005128621.tif 000004
【図３】
2005128621.tif 000005
【図４】
2005128621.tif 000006
【図５】
2005128621.tif 000007
【図６】
2005128621.tif 000008
【図７】
2005128621.tif 000009
【図８】
2005128621.tif 000010
【図９】
2005128621.tif 000011